(57)【要約】      （修正有）【課題】根管清掃拡大作業を中断することなく患部の視認を行える歯科用ハンドピースを提供する。【解決手段】歯科用ハンドピース１のチャック付近に極細のファイバースコープの軟性部２ｃ先端を取付け、切削器具等の先端部付近を対物レンズ部、照明部で撮影する。接眼部２ｅを覗くことにより、撮影している画像を見ることが可能である。例えば、根管治療のため歯牙にあけた孔から、切削器具等を挿入することにより、歯髄蓋の残存状況等を映像として見ることが可能である。また、最後臼歯遠心部なども、患部を見ながら作業することが可能である。【選択図】図１
2009297185.tif 000002
【特許請求の範囲】
【請求項１】
チャック付近に、ファイバースコープを外付けすることにより、歯質の切削や根管清掃拡大時等の、患部を視認することのできる歯科用ハンドピース。
【請求項２】
チャック付近に、ファイバースコープを内蔵することにより、歯質の切削や根管清掃拡大時等の、患部を視認することのできる歯科用ハンドピース。
【請求項３】
チャック付近下方にファイバースコープのレンズ部を位置させて、前記ファイバースコープを外付けすることにより視認することのできる、請求項１記載の歯科用ハンドピース。
【請求項４】
チャック付近下方にファイバースコープのレンズ部を位置させて、前記ファイバースコープを内蔵することにより視認することのできる、請求項２記載の歯科用ハンドピース。
【発明の詳細な説明】
【技術分野】
【０００１】
本発明は、ファイバースコープを備えた「エアータービン」「電動式」「エンド用」の各歯科用ハンドピースに関する。本発明の歯科用ハンドピースによれば、視野の確保が困難な根管清掃拡大や、それに伴う歯質の切削といった作業を、見やすく、効率よく行うことができる。
【背景技術】
【０００２】
歯科用ハンドピースにて根管治療を行う場合、歯冠・歯髄蓋に最小限の孔をあけ、その孔から歯科用ハンドピースに取り付けた切削器具等を挿入し、根管清掃拡大を行うが、その孔は非常に小さいため、患部である根管口が切削器具等の下に隠れてしまう。
【０００３】
そのため術者は、切削器具等を患部からはずし、歯鏡や口腔内視鏡（例えば、特許文献1参照）等を用いて患部を視認していた。
【０００４】
【特許文献１】特許公開２００４−６５６２３
【発明の開示】
【発明が解決しようとする課題】
【０００５】
歯鏡及び口腔内視鏡は、口腔内へ挿入し患部を映すことにより、狭く、目視する角度の限られた口腔内でも、直視しにくい患部を見ることができるが、根管清掃拡大の場合は、治療のための孔が非常に小さいため、作業を中断し、切削器具等を患部から出さなければ患部を映すことができない。そのため術者は、「少しずつ清掃・拡大し、患部から切削器具等を出しては映す」という作業を繰り返すので、作業効率が悪く、作業時間が長くなれば、その分患者への負担も大きくなる。
【０００６】
本発明は、従来の効率の悪さを解決し、術者のみならず、患者の負担軽減にもつながる器具を開発することを目的とするものである。
【課題を解決するための手段】
【０００７】
本発明は、前記課題を解決するために、歯科用ハンドピース１のチャック１ａ付近に極細のファイバースコープ（挿入部が軟性の内視鏡）の軟性部２ｃ先端を取付け、切削器具等１０ａの先端部付近を、対物レンズ部２ｂ・照明部２ａで撮影することとした。そうすることで、接眼部２ｅを覗くことにより、撮影している画像を見ることが可能である。
【発明の効果】
【０００８】
例えば、根管治療のために歯牙４にあけた孔から、本発明品に取付けた切削器具等１０ａを挿入することにより、歯髄蓋の残存状況等を映像として見ることが可能である。
【０００９】
また、従来の方法においても視認することの難しい最後臼歯遠心部なども、本発明品では、患部を見ながら作業することが可能である。
【発明を実施するための最良の形態】
【００１０】
以下、本発明の実施の形態を図１〜図４に基づいて説明する。
【００１１】
（第１の実施の形態）
まず、本発明の第１の実施の形態について図１・図２を参照して説明する。
図１は、第１の実施の形態の歯科用ハンドピース（ファイバースコープ付き）の要部外観図である。図１において、本発明は大きくは、歯科用ハンドピース部１、ファイバースコープ部、ファイバースコープ本体２を歯科用ハンドピース１に外付けするための保持具３で構成されている。
【００１２】
図２は、図１の歯科用ハンドピース１先端部付近の拡大図である。
【００１３】
歯科用ハンドピース部１は、切削器具等１０ａを装着するためのチャック１ａ、術者が保持する握り部１ｂ、切削器具等１０ａを回転させるモーター１０ｂへ接続するためのモーター接続部１ｃからなる。
【００１４】
ファイバースコープ部は、歯科用ハンドピース１に固定するファイバースコープ本体２と、ライトガイドケーブル２０ａを介して患部を照らすための光を発生させる光源装置２０ｂからなる。
【００１５】
さらにファイバースコープ本体２は、術者が映像を見るための接眼部２ｅ、対象を撮影するための対物レンズ部２ｂ、接眼部２ｅと対物レンズ部２ｂをつなぎ画像を伝送するイメージガイドファイバー、光源装置２０ｂからの光をライトガイドファイバーを介して照明部２ａに伝達するためのライトガイドケーブル２０ａ、イメージガイドファイバー・ライトガイドファイバー・対物レンズ部２ｂを樹脂チューブやステンレスブレードなどで被覆した軟性部２ｃ、軟性部２ｃ・接眼部２ｅ・ライトガイドケーブル２０ａをつなぎ軟性部先端等の操作を行う操作部２ｄからなる。
【００１６】
歯科用ハンドピース１とファイバースコープ本体２は、対物レンズ２ｂがチャック１ａ付近になるような位置に、保持具３にて外部固定されている。
【００１７】
（第２の実施の形態）
次に、本発明の第２の実施の形態について図３・図４を参照して説明する。図３は、第２の実施の形態の歯科用ハンドピース（ファイバースコープ付き）の要部外観図である。図３において、本発明は大きくは、歯科用ハンドピース部１、ファイバースコープ部で構成されている。
【００１８】
図４は、図３の歯科用ハンドピース１先端部付近の拡大図である。
【００１９】
第１の実施の形態の軟性部２ｃの一部分が、歯科用ハンドピース１に保持具３にて外部固定されているのに対して、第２の実施の形態の構成は、軟性部２ｃ先端ｓが、保持具３を用いず、歯科用ハンドピース１に内蔵されている点が異なる。
【００２０】
他の構成は図１・図２に記した第１の実施の形態と同じなので、同じ部材には同じ符号を付して詳細な説明を省略する。
【図面の簡単な説明】
【００２１】
【図１】本発明の第１の実施の形態の歯科用ハンドピース（ファイバースコープ付き）            の要部外観図である。
【図２】図１の歯科用ハンドピース１先端部付近の拡大図である。
【図３】本発明の第２の実施の形態の歯科用ハンドピース（ファイバースコープ付き）            の要部外観図である。
【図４】図３の歯科用ハンドピース１先端部付近の拡大図である。
【符号の説明】
【００２２】
１      歯科用ハンドピース
１ａ    チャック
１ｂ    握り部
１ｃ    モーター接続部
１０ａ  切削器具等（ドリル・ファイル等）
１０ｂ  モーター
２      ファイバースコープ本体
２ａ    照明部
２ｂ    対物レンズ部
２ｃ    軟性部
２ｄ    操作部
２ｅ    接眼部
２０ａ  ライトガイドケーブル
２０ｂ  光源装置
３      保持具
４      患部（歯牙）
【図１】
2009297185.tif 000003
【図２】
2009297185.tif 000004
【図３】
2009297185.tif 000005
【図４】
2009297185.tif 000006